(57)【要約】【課題】  可動部材を有する可動式入賞装置において、ビス一本のみによって組立て及び分解の双方を可能にしてリサイクルに対応可能にすることである。【解決手段】  入賞装置本体Ｆの前面に化粧板Ｐが取付けられた遊技機の大入賞口装置（可動式入賞装置）Ａであって、入賞装置本体Ｆは上下の各カバーＣ1 ，Ｃ2 で構成されて、内部にリンク部材（可動部材）Ｅが設けられ、上下の各カバーＣ1 ，Ｃ2 はビス一本で締結される構成とする。【選択図】        図４
2005245645.tif 000002
【特許請求の範囲】
【請求項１】
入賞装置本体の前面に化粧板が取付けられた遊技機の可動式入賞装置であって、
入賞装置本体は、複数の分割体で構成されて、内部に可動部材が設けられ、複数の分割体はビス一本で締結される構成であることを特徴とする遊技機の可動式入賞装置。
【発明の詳細な説明】
【技術分野】
【０００１】
本発明は、可動部材を有していて、リサイクルに対応可能な遊技機の可動式入賞装置に関するものである。
【背景技術】
【０００２】
遊技機の入賞装置には、可動部材を有する可動式入賞装置と、可動部材を有しない固定入賞装置とがある。後者の固定入賞装置において、リサイクルに対応させたものとして特許文献１に記載のものが知られている。特許文献１に記載のものは、固定入賞装置を構成する台板、前面カバー、前面部材、基板及び検出器の各非可動部材をビスのみで組み立てることができ、しかもビスのみで分解できる構造である。
【０００３】
一方、可動部材を有する従来の可動式入賞装置においては、複数のビスを用いることで入賞装置を組み立てていたが、この構造は単純で組立作業が便利であるが、一旦組み立てられた入賞装置は、リサイクルのために簡単に分解分別することが難しかった。また、可動式入賞装置は、可動部材と、該可動部材を駆動させるためのリンク機構を備えており、分解が簡単な構造にすると前記リンク機構の組み付け等が難しくなり、組立時の作業性が悪くなるという問題があった。
【０００４】
また、入賞装置本体を上下又は左右の方向に複数に分割した各分割体に分け、各分割体の中心部をビス一本で締結する構成にすると、大入賞口装置のような大きな部品の場合には、各分割体を一体に締結した各入賞装置本体の四隅が浮き上がって僅かに開口が形成され、四隅をきっちりと密着させることもできなかった。
【特許文献１】特開２００１−２９３１５７号公報
【発明の開示】
【発明が解決しようとする課題】
【０００５】
本発明は、可動部材を有する可動式入賞装置において、ビス一本のみによって組立て及び分解の双方を可能にしてリサイクルに対応可能にすることである。
【課題を解決するための手段】
【０００６】
上記の課題を解決するための第１解決手段は、入賞装置本体の前面に化粧板が取付けられた遊技機の可動式入賞装置であって、入賞装置本体は、複数の分割体で構成されて、内部に可動部材が設けられ、複数の分割体はビス一本で締結される構成であることを特徴としている。このため、第１解決手段に係る可動式入賞装置は、構成部材として可動部材を有しているにもかかわらず、ビス一本のみによって組付け及び分解が可能となる。
【０００７】
また、第２解決手段は、第１解決手段において、前記可動部材は、支点軸部を中心に回動する構成であって、前記各分割体のいずれか一つには、可動部材の支点軸部を挿入して支持する一対の軸支持溝が対向して形成され、各軸支持溝の少なくとも一方の挿入側の端部には、挿入支持された可動部材の支点軸部の抜け止めを防止して正規の位置に保持するための抜止突起部が形成されていることを特徴としている。
【０００８】
第２解決手段によれば、入賞装置本体を構成する複数の分割体のいずれか一つに形成された一対の軸支持溝に対して可動部材の支点軸部を挿入すると、前記支点軸部は抜止突起部を通過し、通過後においては支点軸部は、抜止突起部の存在により容易に抜け出ない状態で一対の軸支持溝の正規の位置に支持される。このように、入賞装置本体を構成する複数の分割体のいずれか一つに可動部材の支点軸部が正規の配置位置を保持した状態で組み込み可能となるので、可動部材を有する可動式入賞装置をビス一本のみによって組み立て可能となる。また、一体に組み付けられた可動式入賞装置を分解するには、一本のビスを外して入賞装置本体の各分割体を分離させた後に、可動部材の支点軸部を「こじる」ようにして、分割体の軸支持溝の挿入側に形成された抜止突起部の部分を通過させると、分割体の各軸支持溝から可動部材の支点軸部が取り外される。
【０００９】
また、第３解決手段は、第１又は２の解決手段において、前記化粧板の裏面には、一体に締結された入賞装置本体の先端部を嵌着させる嵌着枠部が一体に形成されていることを特徴としている。第３解決手段によれば、入賞装置本体を構成する複数の分割体をビス一本のみによって組み付けたのみでは、四隅の部分が浮き上がるおそれがあるが、一体化された入賞装置本体の先端部は、化粧板の裏面の嵌着枠部の内側に嵌め込まれて嵌着されるので、入賞装置本体を構成する各分割体をきっちりと締結できる。
【００１０】
また、第４解決手段は、第３解決手段において、一体に締結された入賞装置本体の先端部には、化粧板の裏面の嵌着枠部に形成された係止孔に係止される１ないし複数対の係止片が形成されていることを特徴としている。第４解決手段によれば、一体化された入賞装置本体の先端部を化粧板の裏面の嵌着枠部の内側に嵌着させると、入賞装置本体の先端部に成形された一ないし複数対の係止片が、化粧板の裏面の嵌着枠部に形成された係止孔に係止されるので、簡単な構造によって、一体化された入賞装置本体と化粧板とを、外れることなく組み付けられる。また、分解時には、前記係止片を弾性変形させるのみで前記係止孔との係止を解除できるので、分解も容易となる。
【００１１】
また、第５解決手段は、第１ないし４のいずれかの解決手段において、可動式入賞装置は、蓋体が開くことにより大入賞口が形成される大入賞口装置であることを特徴としている。大入賞口装置は、蓋体を開閉させるためのリンク部材が入賞装置本体の内部に設けられているのに加えて、入賞装置としては最も大きな部類に属するにもかかわらず、ビス一本のみによって入賞装置本体の組立て・分解が可能となる。
【発明の効果】
【００１２】
本発明によれば、入賞装置本体の内部に可動部材が設けられているにもかかわらず、ビス一本のみによって入賞装置本体の組立て・分解が可能となるため、可動式入賞装置のリサイクルに対応できる。
【発明を実施するための最良の形態】
【００１３】
以下、本発明を実施するための最良形態を挙げて、本発明を更に詳細に説明する。図１は、本発明に係る大入賞口装置Ａを組み込んだパチンコ機の遊技盤の正面図であり、図２は、大入賞口装置Ａの組み込み状態を示す部分斜視図であり、図３は、大入賞口装置Ａを背面側から見た斜視図であり、図４は、同じく分解斜視図であり、図５は、上カバーＣ1 を斜前方から見た斜視図であり、図６は、下カバーＣ2 を斜前方から見た斜視図である。図１において、遊技盤７１には、外側及び内側の各球案内レール７２，７３が取付けられて、各球案内レール７２，７３で囲まれる領域が遊技領域７５となっている。外側及び内側の各球案内レール７２，７３が内外で重なって球発射通路７４を形成しており、球発射装置（図示せず）から発射された遊技球は、前記球発射通路７４を通って前記遊技領域７５に放出される。
【００１４】
また、遊技領域７５の略中央部には特別図柄表示装置７６が配置され、特別図柄表示装置７６の直下には、該特別図柄表示装置７６を作動させる始動入賞口７７が配置され、該始動入賞口７７の直下には、本発明に係る大入賞口装置Ａが配置されている。特別図柄表示装置７６は、始動入賞口７７に球が入賞することにより図柄変動を開始して、所定時間変動した後に停止する。そして、停止したときの複数の図柄が特定の表示態様となって開始される「大当り遊技」においては、前記大入賞口装置Ａの蓋体Ｄが手前側に倒れることにより形成された大入賞口７８が所定時間（例えば、３０秒）、或いは所定個数（例えば、１０個）の入賞があるまで前記大入賞口７８は開放された状態を維持した後に、前記蓋体Ｄが閉じる。前記蓋体Ｄが閉じた後においても、再度蓋体Ｄが開いて設定ラウンド（例えば１６ラウンド）だけ前記「大当り遊技」が繰り返される。なお、図１及び図２において、８１は、一般入賞口を示し、８２は、いずれの入賞口にも入賞しなかったアウト球を回収するアウト口を示す。
【００１５】
次に、図２ないし図６を参照にして、前記大入賞口装置Ａについて詳細に説明する。大入賞口装置Ａは、上下方向に沿って一体に組み付けられる上カバーＣ1 及び下カバーＣ2 と、一体に組み付けられた上下の各カバーＣ1 ，Ｃ2 の前面に一体に組み付けられる化粧板Ｐとで構成される。上下の各カバーＣ1 ，Ｃ2 は、入賞装置本体Ｆを構成していて、蓋体Ｄを駆動するソレノイドＳと、該ソレノイドＳの駆動ロッド６１の前後方向の直線的な進退運動を往復回動運動に変換するリンク部材Ｅとが内部に収容され、かつ前端部に前記蓋体Ｄが回動可能に支持された状態で一体に組み付けられる。図４及び図６に示されるように、下カバーＣ2 の平面形状は長方形状であって、長手方向（パチンコ機に装着した状態で「横方向」）の一端部の奥側にソレノイド設置部２が設けられ、該ソレノイド設置部２の前方に前記リンク部材Ｅの支点軸部４１を支持するための左右一対の支点軸支持部４が対向して設けられている。図６，図８及び図１０に示されるように、各支点軸支持部４には、対向面が開口した軸支持溝５が形成され、各軸支持溝５の上端部には、前記リンク部材Ｅの支点軸部４１の長さ（Ｌ1 ）よりも僅かに短い間隔（Ｌ2 ）をおいて抜止突起部６が対向して設けられている。下カバーＣ2 の長手方向の中央部には、蓋体Ｄが開いて形成された大入賞口７８から大入賞口装置Ａ内に流入した球を収容する球収容空間７が形成されている。球収容空間７は、周囲の隔壁８で囲まれて形成され、大入賞口７８に臨む手前側から奥側に向けて狭くなっていると共に、段差部を介して深くなっていて、奥側の最も低い部分には、下カバーＣ2 の背面側から挿入された第１球検出器Ｋ1 の上面が臨んでいる。また、下カバーＣ2 の前端部には、蓋体Ｄの両端部に長手方向に突設された各支点軸部３１を支持するための一対の下側軸支持部１１が所定間隔をおいて前端面から前方に突出した状態で対向して設けられ、各下側軸支持部１１の上面に形成された凹部１１ａに蓋体Ｄの支点軸部３１が挿入支持される。
【００１６】
図４に示されるように、化粧板Ｐの本体板５１の背面には方形枠状の嵌着枠部５２が一体に形成され、図７及び図１１に示されるように、前記嵌着枠部５２の各縦板部５３の略下半部の内側に下カバーＣ2 の前端部が、Ｘ方向（横方向），Ｙ方向（前後方向）及びＺ方向（上下方向）の各位置決めが行われた状態で嵌合挿入される。即ち、下カバーＣ2 の長手方向（横方向）の両端の外側板部１２の前端部の外側面が、前記嵌着枠部５２の各縦板部５３の内側面に密着すると共に、前記各外側板部１２の前端面１２ａが化粧板Ｐの本体板５１の裏面に当接することにより、化粧板Ｐに対する下カバーＣ2 のＸ，Ｙ両方向の位置決めが行われる。また、図６及び図１１に示されるように、下カバーＣ2 の前端部の左右両端下部に設けられた段差部１３が、前記嵌着枠部５２の下方の横板部５４の内側面と後端面との間に当てがわれることにより、蓋体Ｄに対する下カバーＣ2 のＺ方向の位置決めが行われる。
【００１７】
また、図４及び図１１に示されるように、下カバーＣ2 の長手方向の中央部の奥側には、ビスＢを介して上カバーＣ1 と一体化させるための主ボス１４が上面から突出して形成され、下カバーＣ2 の前端部であって、かつ長手方向の両端部には、同様の一対の副ボス１５が上面から突出して形成されている。各ボス１４，１５には、ビスＢの下孔が形成されている。また、下カバーＣ2 の長手方向（横方向）におけるソレノイド設置部２と反対の部分には、前記始動入賞口７７に入賞した後に大入賞口装置Ａの上面に導かれて落下する球の通過を検出する第２球検出器Ｋ2 が上方から嵌め込まれる。なお、図４及び図６において１６は、下カバーＣ2 に嵌め込まれた第２球検出器Ｋ2 の抜け出しを防止する抜出防止片を示す。
【００１８】
一方、上カバーＣ1 は、ソレノイドＳ、リンク部材Ｅ、第１及び第２の各球検出器Ｋ1 ，Ｋ2 を前記下カバーＣ2 に組み込むと共に、該下カバーＣ2 の前端部に蓋体Ｄを仮支持した状態で、前記下カバーＣ2 の上面に覆い被せてビスＢのみにより下カバーＣ2 と一体化される部材である。このため、上カバーＣ1 の平面形状は下カバーＣ2 とほぼ同一であって、上下の各カバーＣ1 ，Ｃ2 が一体化された状態では、上カバーＣ1 の外周縁に断続し、しかも段差状に形成された下端面と、下カバーＣ2 の外周縁に対応して形成された上端面とが周方向に沿って断続して密着当接する構造となる。上下の各カバーＣ1 ，Ｃ2 は、上カバーＣ1 の上面のボス２１と、下カバーＣ2 の主ボス１４とを一本のビスＢで螺合して連結することにより、ビス一本のみによって締結されて一体化される。なお、必要に応じて上カバーＣ1 の前端部の左右両端部に形成された各ビス挿通孔２２（図５参照）に挿通したビスＢを下カバーＣ2 の副ボス１５に螺合させると、上下の各カバーＣ1 ，Ｃ2 の締結が一層確実となる。
【００１９】
上カバーＣ1 の構成を化粧板Ｐとの連結の観点から把握すると、以下の通りである。化粧板Ｐの背面の嵌着枠部５２の各縦板部５３の高さ方向の中央部と上端部とには、それぞれ仕切板部５５，５６が形成され、各縦板部５３における上下の各仕切板部５５，５６の間には、本体板５１の裏面との間に係止孔５７が形成されている。一方、上カバーＣ1 の長手方向（横方向）の両端部には、化粧板Ｐの各係止孔５７と係止可能な一対の爪状の係止片２３が前方に突出して形成されている。化粧板Ｐの前記各仕切板部５５，５６の内寸法（Ｌ3 ）と、上カバーＣ1 の係止片２３の高さ寸法（Ｌ4 ）とは、前記各仕切板部５５，５６の間に前記係止片２３が高さ方向の隙間がない状態で挿入可能な寸法関係となっている。また、化粧板Ｐの背面の嵌着枠部５２の各横板部５４の幅（奥行寸法）は、両端部を除いて狭くなっていて、上下の各カバーＣ1 ，Ｃ2 を一本のビスＢにより一体化した状態で、上カバーＣ1 の爪状の各係止片２３を化粧板Ｐの各係止孔５７に係止させると、図１２に示されるように、係止孔５７に対して係止片２３が上下方向（Ｚ方向）及び前後方向（Ｙ方向）の双方に対して隙間なく係止されると共に、係止片２３の外側面が化粧板Ｐの縦板部５３の内側面に密着される。これにより、化粧板Ｐに対して下カバーＣ2 と一体化された上カバーＣ1 は、Ｘ，Ｙ，Ｚの３方向に対して位置決めされた状態で、化粧板Ｐに装着される。図１２に示されるように、一体化された上下の各カバーＣ1 ，Ｃ2 が化粧板Ｐに取付けられた状態では、上カバーＣ1 の先端当接面２４が化粧板Ｐの上方の横板部５４の後端面５４ａに当接している。
【００２０】
また、図５に示されるように、上カバーＣ1 の前端下部における下カバーＣ2 の一対の支点軸支持部４に対応する位置には、下カバーＣ2 の一対の支点軸支持部４で支持された蓋体の各支点軸部３１を上方から覆った状態で支持するための上側軸支持部２５が形成されている。なお、図４において、２６は、下カバーＣ2 に嵌め込まれた第１球検出器Ｋ1 の背面部に係止させて、該第１球検出器Ｋ1 が後方に抜け出るのを防止するために上カバーＣ1 に形成された抜止め防止片を示す。
【００２１】
蓋体Ｄは、図４、図８及び図９に示されるように、蓋本体３２の長手方向の両端部にそれぞれ支点軸部３１が長手方向に突出していて、リンク部材Ｅが配設される側の端部には係合片３３が設けられた構成である。一方、リンク部材Ｅは、図４、図８及び図９に示されるように、下カバーＣ2 に組み込まれた状態で支点軸部４１の軸方向に沿って内側に位置する端部に、蓋体係合アーム４２とソレノイド係合アーム４３とが周方向の位相がずれて一体に設けられ、蓋体係合アーム４２の先端部の内側には、蓋体Ｄの係合片３３と係合する係合ピン４４が設けられ、蓋体係合アーム４２の先端部の外側には、ソレノイドＳの駆動ロッド６１の先端の係合板６２と係合可能な一対の係合ピン４５，４６が周方向に所定間隔をおいて設けられた構成である。このため、図９に示されるように、ソレノイドＳの駆動ロッド６１が前後方向（Ｙ方向）に直線的に進退すると、リンク部材Ｅを介して蓋体Ｄの蓋本体３２が起立して大入賞口７８が閉じられると共に、駆動ロッド６１が引っ込むと、リンク部材Ｅを介して蓋体Ｄの蓋本体３２が前方に倒れて大入賞口７８が形成される。
【００２２】
また、化粧板Ｐの本体板５１の中央部には、図２及び図４に示されるように、蓋体Ｄの蓋本体３２を収容可能な方形状の開口５８が形成され、蓋体Ｄが前方に倒れると、前記開口５８の大部分が開いて大入賞口７８が形成される。なお、図２及び図４において５９は、本体板５１の前面側において前記開口５８を挟むように対向配置された一対の突出板を示す。
【００２３】
本発明に係る大入賞口装置Ａを構成する上下の各カバーＣ1 ，Ｃ2 、蓋体Ｄ、リンク部材Ｅ及び化粧板Ｐの構成は上記の通りであるので、その組み付けは以下のようにして行う。まず、図８及び図９に示されるように、下カバーＣ2 の一対の下側軸支持部１１で蓋体Ｄの支点軸部３１を仮支持しておき、この状態で下カバーＣ2 の一対の支点軸支持部４に形成された各軸支持溝５にリンク部材Ｅの支点軸部４１を上方から圧入する。各軸支持溝５の上端部には、リンク部材Ｅの支点軸部４１の長さ（Ｌ1 ）よりも僅かに短い間隔（Ｌ2 ）をおいて抜止突起部６が対向して設けられているので、圧入後においては、リンク部材Ｅの支点軸部４１の両端部の直上に位置する一対の抜止突起部６の存在により、下カバーＣ2 に対するリンク部材Ｅの支点軸部４１の位置が定められて、該支点軸部４１が軸支持溝５から容易には抜け出ない状態で、下カバーＣ2 に対してリンク部材Ｅが仮組みされる。なお、抜止突起部６は、相対向する一対の軸支持溝５の対向部の一方のみに設けた構成であっても、組み付け後におけるリンク部材Ｅが一対の軸支持溝５から抜け出るのを防止できる。
【００２４】
また、図１０に示されるように、リンク部材Ｅの支点軸部４１の両端の支持部４１ａは他の部分よりも小径となっていると共に、軸支持溝５の下端部は、前記支持部４１ａの外径に対応した半円弧状となっており、各軸支持溝５の下端部に支点軸部４１の両端の支持部４１ａが挿入支持された状態で、各軸支持溝５の両端部の直上に抜止突起部６が配置される位置関係となっているので、一旦挿入支持されたリンク部材Ｅの支点軸部４１は、軸支持溝５から容易に抜け出ない構造となる。また、支点軸部４１の両端の支持部４１ａには面取り４１ｂが施されており、該面取り４１ｂの存在によっても、下カバーＣ2 の各軸支持溝５にリンク部材Ｅの支点軸部４１の両端の各支持部４１ａを圧入状態で挿入する作業が容易となる。また、リンク部材Ｅの蓋体係合アーム４２が蓋体ＤのソレノイドＳの係合片３３と係合することにより、下カバーＣ2 に対して蓋体Ｄも仮組みされる。次に、下カバーＣ2 のソレノイド設置部２にソレノイドＳを設置して、駆動ロッド６１の先端の係合板６２とリンク部材Ｅのソレノイド係合アーム４３とを係合させると共に、第１及び第２の各球検出器Ｋ1 ，Ｋ2 を下カバーＣ2 にそれぞれ組み込む。
【００２５】
次に、蓋体Ｄ及びリンク部材Ｅが仮組みされた下カバーＣ2 の上に上カバーＣ1 を覆い被せて、上下の各カバーＣ1 ，Ｃ2 のボス１４，２１を１本のビスＢで螺合連結して上下の各カバーＣ1 ，Ｃ2 を一体化させ、一体化された上下の各カバーＣ1 ，Ｃ2 の先端部を、化粧板Ｐの裏面の嵌着枠部５２の内側に嵌着させると、上カバーＣ1 の両端の各係止片２３と前記嵌着枠部５２の各係止孔５７とが係止されて、上下の各カバーＣ1 ，Ｃ2 と化粧板Ｐとが一体に組み付けられる。また、一体化された上下の各カバーＣ1 ，Ｃ2 の先端部が化粧板Ｐの裏面の嵌着枠部５２の内側に隙間なく嵌着されることにより、１本のビスＢのみで一体に組み付けられている上下の各カバーＣ1 ，Ｃ2 の先端部の密着予定端面の密着性が高まって、各密着予定端面の間に隙間が発生しなくなる。即ち、一体化された上下の各カバーＣ1 ，Ｃ2 の四隅に隙間が発生しなくなって、各カバーＣ1 ，Ｃ2 がきっちりと固定される。
【００２６】
上記のようにして一体に組み付けられた大入賞口装置Ａのうち上下の各カバーＣ1 ，Ｃ2 は、図２に示されるように、遊技盤７１の遊技領域７５の下端部の開口７９に挿入されて、前面の化粧板Ｐの周縁部は遊技盤面に密着され、化粧板Ｐの横方向の両端部が一対のビス８３を介して遊技盤７１に固定される。
【００２７】
一方、使用済の大入賞口装置Ａをリサイクルのために分解するには、一体化されている上下の各カバーＣ1 ，Ｃ2 のうち上カバーＣ1 の左右両端の一対の係止片２３を内方に弾性変形させて、一対の係止片２３と化粧板Ｐの一対の係止孔５７との係止を解除した後に、上下の各カバーＣ1 ，Ｃ2 を一体に連結している１本のビスＢを取り外すのみで、上下の各カバーＣ1 ，Ｃ2 が分離される。最後に、下カバーＣ2 の一対の支点軸支持部４に形成された各軸支持溝５に挿入されているリンク部材Ｅの支点軸部４１を僅かに「こじる」ようにして上方に引き抜くと、下カバーＣ2 とリンク部材Ｅとが分離される。
【００２８】
また、上記実施例は、可動式入賞装置を構成する入賞装置本体が上下方向に二分割された構成であるが、左右方向に二分割される構成の入賞装置本体、或いは上下方向或いは左右方向に二以上の数に分割される構成の入賞装置本体に対しても本発明は実施可能である。
【００２９】
更に、上記実施例は、本発明を大入賞口装置Ａに実施した例であって、入賞装置本体Ｆに対して化粧板Ｐを別体構造にすることにより、リンク部材（可動部材）Ｅを有しているにもかかわらず、ビスのみによって入賞装置の組立て及び分解が可能となることに加えて、上下の各カバーＣ1 ，Ｃ2 を一体化させた入賞装置本体Ｆの四隅が密着して、きっちりと固定できる利点がある。しかし、本発明が実施可能な入賞装置は上記大入賞口装置Ａに限られず、上記と同様の構造によって、入賞装置本体を複数に分割した各分割体の一つに可動部材を正規の位置に配置した状態で組み付け可能であるので、可動部材を備えた他の入賞装置に対して実施可能である。
【図面の簡単な説明】
【００３０】
【図１】本発明に係る大入賞口装置Ａを組み込んだパチンコ機の遊技盤の正面図である。
【図２】大入賞口装置Ａの組み込み状態を示す部分斜視図である。
【図３】大入賞口装置Ａを背面側から見た斜視図である。
【図４】同じく分解斜視図である。
【図５】上カバーＣ1 を斜前方から見た斜視図である。
【図６】下カバーＣ2 を斜前方から見た斜視図である。
【図７】上カバーＣ1 を取り外した組み付け状態の平面断面図である。
【図８】蓋体Ｄとリンク部材ＥとソレノイドＳとを下カバーＣ2 に組み込む状態を示す側面図である。
【図９】図７のＶ1 −Ｖ1 線断面図である。
【図１０】図７のＶ2 −Ｖ2 線断面図である。
【図１１】上下の各カバーＣ1 ，Ｃ2 と化粧板Ｐとの組付け状態を主体に示す模式的縦断面図である。
【図１２】上カバーＣ1 と化粧板Ｐとの組付け状態を示すために一部を破断した平面図である。
【符号の説明】
【００３１】
Ａ：大入賞口装置（入賞装置）
Ｂ：ビス
Ｃ1 ：上カバー（分割体）
Ｃ2 ：下カバー（分割体）
Ｄ：蓋体
Ｅ：リンク部材（可動部材）
Ｆ：入賞装置本体
Ｐ：化粧板
Ｓ：ソレノイド
４：下カバーの支点軸支持部
５：下カバーの軸支持溝
６：下カバーの抜止突起部
２３：上カバーの係止片
４１：リンク部材の支点軸部
５２：化粧板の嵌着枠部
５７：化粧板の係止孔
【図１】
2005245645.tif 000003
【図２】
2005245645.tif 000004
【図３】
2005245645.tif 000005
【図４】
2005245645.tif 000006
【図５】
2005245645.tif 000007
【図６】
2005245645.tif 000008
【図７】
2005245645.tif 000009
【図８】
2005245645.tif 000010
【図９】
2005245645.tif 000011
【図１０】
2005245645.tif 000012
【図１１】
2005245645.tif 000013
【図１２】
2005245645.tif 000014